(57)【要約】    【課題】  通常のグラウンドでのプレイ時にはボールが上向きに上がらず、さらにはボールの転がる方向が安定するとともにボールに傷をつけることがなく、又各ホールの第１打時や芝生上でのプレイ時にはクラブを普通にスイングしてもボールを芯で打撃した打撃感が得られるグラウンド・ゴルフ用クラブを提供する。    【解決手段】  シャフト(20)の下端部がヘッド(30)の上端面(34)に連結されている一方、ヘッドの横幅が縦幅に比して大きく、かつヘッド縦幅が最も広い箇所で７ｃｍ以上８ｃｍ以下であるように定められたグラウンド・ゴルフ用クラブ(10)において、ヘッド底部の水平方向の少なくとも中央部分及びヘッド上部の水平方向の少なくとも中央部分にはヘッド素材よりも比重の大きい重量バランス部(40,70,71,72,73)を設け、スイートスポットを上下方向に広げる。【選択図】  図１
2006149752.tif 000002
【特許請求の範囲】
【請求項１】
シャフトの下端部がヘッドの上端面に連結されている一方、ヘッドの横幅が縦幅に比して大きく、かつヘッド縦幅が最も広い箇所で７ｃｍ以上８ｃｍ以下であるように定められたグラウンド・ゴルフ用クラブにおいて、
ヘッド底部の水平方向の少なくとも中央部分及びヘッド上部の水平方向の少なくとも中央部分にはヘッド素材よりも比重の大きい重量バランス部が設けられていることを特徴とするグラウンド・ゴルフ用クラブ。
【請求項２】
上記重量バランス部はヘッド底部のトウ・ヒール間及びヘッド上部のトウ・ヒール間に設けられている請求項１記載のグラウンド・ゴルフ用クラブ。
【請求項３】
上記重量バランス部は帯状部分を有し、ヘッド底面及びヘッド上端面に固定されている請求項１記載のグラウンド・ゴルフ用クラブ。
【請求項４】
上記重量バランス部の帯状部分がヘッド底面のトウ・ヒールの先端間及びヘッド上端面のトウ・ヒールの先端間に延びた形状をなしている請求項３記載のグラウンド・ゴルフ用クラブ。
【請求項５】
上記重量バランス部のうち、ヘッド底面の帯状部分はヘッド底面のトウ・ヒールの先端間に延びた形状をなし、ヘッド上端面の帯状部分はヘッド上端面のトウの先端とシャフト連結部位近傍との間及びヒールの先端とシャフト連結部位近傍との間に延びた形状をなしている請求項３記載のグラウンド・ゴルフ用クラブ。
【請求項６】
上記重量バランス部のうち、ヘッド上端面及び／又はヘッド底面の帯状部分はヘッド厚み方向の寸法がトウ側の端部からシャフトの取付け部位及びヒール側の端部からシャフトの取付け部位に向けて漸減又は漸増するような形状となっている請求項３ないし５のいずれかに記載のグラウンド・ゴルフ用クラブ。
【請求項７】
上記重量バランス部は金属材料、合成樹脂材料、炭素繊維強化材料あるいはガラス繊維強化材料で構成されている請求項１ないし６のいずれかに記載のグラウンド・ゴルフ用クラブ。
【請求項８】
上記ヘッドの打球面には金属材料製、合成樹脂材料製、炭素繊維強化材料製あるいはガラス繊維強化材料製の補強盤が取付けられている請求項１記載のグラウンド・ゴルフ用クラブ。
【発明の詳細な説明】
【技術分野】
【０００１】
この発明はグラウンド・ゴルフ用クラブに関し、特に通常のグラウンド上でのプレイ時にはボールが上向きに上がらず、さらにはボールの転がる方向が安定するとともにボールに傷をつけることがなく、又各ホールの第１打時や芝生上でのプレイ時にはクラブを普通にスイングしてもボールを芯で打撃した打撃感が得られるようにしたクラブに関する。
【背景技術】
【０００２】
グラウンド・ゴルフは木製クラブを使用し、合成樹脂製ボール（又は木製ボール）を打撃して転がし、ホールポストのリング中に停止させるまでの打数を競うものであって、健康の増進と娯楽を目的としている。
【０００３】
グラウンド・ゴルフに用いることのできる用具については社団法人日本グラウンド・ゴルフ協会の用具標準規則（以下、単に用具標準規則ともいう）に細かく定められている。例えば、クラブのヘッドについては横幅は最も長いところで１４ｃｍ以上１６ｃｍ以下、縦幅は最も広いところで７ｃｍ以上８ｃｍ以下、厚みは４ｃｍ以上４．５ｃｍ以下とされ、又ボールについては木製又は合成樹脂製でグラウンド上で弾まず、重さは７５ｇ以上９５ｇ以下、直径は６ｃｍの正円とされている。
【０００４】
ところで、クラブはグラウンド・ゴルフにおいて用いる最も基本的な用具であり、従来から種々なものが提案されている。例えば、クラブのヘッドが木製であることから、打撃による衝撃等によってヘッドの打球面が損傷し難いように、又ヘッド底面がグラウンドと擦れあって磨耗し難いように、ヘッドの打球面及び底面に補強盤を取付けるようにしたクラブが提案されている（特許文献１）。
【０００５】
また、ヘッドの底面に帯状の重錘を取付け、あるいはヘッドのトウ及びヒールの両端部に重錘を取付け、ヘッド重心をシャフトの中心軸線上でかつグラウンド上のボール重心の高さに位置させることにより、体力のない人や筋力の弱い人でもボールを正確に打撃できるようにしたクラブも提案されている（特許文献２、特許文献３）。
【０００６】
通常、グラウンド・ゴルフのプレイ中に各ホールの第１打を打つ場合、スタートマットのボールスタンド上にボールを載せて打撃するので、ボールはボールスタンドの高さ２５ｍｍだけグラウンドから浮いた状態となる。この場合、ボールの直径は６０ｍｍであるので、ボール重心はグラウンドから５５ｍｍの高さになる。
【０００７】
また、グラウンド・ゴルフを楽しむ人が増加し、グラウンド・ゴルフ用のコースも整備され、最近は芝生のコースが増加しているが、この芝生コースの場合にはボールが芝生の上に浮いた状態で第２打や第３打を行うこととなる。
【０００８】
【特許文献１】特開平１０−１７９８３０号公報
【特許文献２】特開平１１−２６７２５８号公報
【特許文献３】特開２０００−８４１３２号公報
【発明の開示】
【発明が解決しようとする課題】
【０００９】
ところで、通常のゴルフではボールを上向きに飛ばす目的でクラブヘッドの打球面に角度（ロフト角）をつけているが、グラウンド・ゴルフではボールの直径が６０ｃｍ、重量が７５ｇ〜９５ｇと重く、飛び上がれば非常に危険であるので、用具標準規則ではクラブヘッドの「打球面に傾斜をつけてはならない」と定められている。
【００１０】
しかしながら、上記特許文献２及び特許文献３に記載のクラブではヘッド底部に重錘を設けてヘッド重心を低重心に設定しているので、クラブをスイングすると、手からヘッド重心までの有効距離が長く、図１０の(a)に示されるように、ヘッド１００の底部の方が走りやすくなってヘッド１００の打球面１００Ａがボール１１０に対して傾き、スイートスポットでボールを打撃できても打球はどうしても上向きに飛びやすい。
【００１１】
また、スイートスポットでボール１１０を捉えられなかった場合には図１０の(b)に示されるようにヘッド１００の底部の角１００Ｂでボール１１０を叩くことになりやすく、ボール１１０の転がる方向が安定しないばかりでなく、ボール１１０に傷をつけてしまうおそれがある。
【００１２】
また、上記特許文献２及び特許文献３に記載のクラブでは各ホールの第１打時や芝生上でのプレイ時に通常のグラウンド上でのプレイ時のようにクラブをスイングすると、ヘッド重心がボール重心から下方にずれ、ボールを芯で打撃した打撃感が得られず、プレイヤーは打撃をミスしたような違和感を感じやすい。
【００１３】
勿論、シャフトを短く持ってクラブをスイングしたり、ヘッドが浮くようにクラブをスイングすればヘッド重心とボール重心を一致させてボールを打撃することができるが、スイングに高い技術を必要とし、好ましいものではない。
【００１４】
本発明はかかる問題点に鑑み、通常のグラウンド上でのプレイ時にはボールが上向きに上がらず、さらにはボールの転がる方向が安定するとともにボールに傷をつけることがなく、又各ホールの第１打時や芝生上でのプレイ時にはクラブを普通にスイングしてもボールを芯で打撃した打撃感が得られるようにしたグラウンド・ゴルフ用クラブを提供することを課題とする。
【課題を解決するための手段】
【００１５】
そこで、本発明に係るグラウンド・ゴルフ用クラブは、シャフトの下端部がヘッドの上端面に連結されている一方、ヘッドの横幅が縦幅に比して大きく、かつヘッド縦幅が最も広い箇所で７ｃｍ以上８ｃｍ以下であるように定められたグラウンド・ゴルフ用クラブにおいて、ヘッド底部の水平方向の少なくとも中央部分及びヘッド上部の水平方向の少なくとも中央部分にはヘッド素材よりも比重の大きい重量バランス部が設けられていることを特徴とする。
【００１６】
本発明の特徴の１つはヘッドの底部と上部に重量バランス部を設けてヘッド重量を底部と上部に偏在させ、ヘッドの底部と上部を重くした重量バランスを実現するようにした点にある。
【００１７】
これにより、ヘッド重心は特許文献２や特許文献３に記載のクラブほど低くなることはなく、スイング時における手からヘッド重心までの有効距離は特許文献２や特許文献３に記載のクラブに比して短くなる。
【００１８】
その結果、ヘッドの底部の方が上部に比して早く走ることは少なくなり、ヘッド打球面のボールに対する傾きも小さくなって垂直に近づくことになるので、通常のグラウンド上でのプレイ時において打球が上向きに飛ぶということはほとんどなくなり、プレイ中の安全性を保証できる。また、ヘッドの底部の角でボールを叩くこともなくなるので、ボールの転がる方向も安定し、又ボールに傷をつけることもない。
【００１９】
グラウンド・ゴルフ用クラブの基本的な形状及び寸法は社団法人日本グラウンド・ゴルフ協会の用具標準規則に定められており、突飛な形状や寸法を採用することはできない。従って、各ホールにおける第１打時や芝生上でのプレイ時を考慮してヘッド重心をグラウンドから５５ｍｍの高さに設定するということは実質的に困難である。
【００２０】
ところで、ボールの打撃感はスイートスポットの問題として考えることができる。特許文献３にはヘッドのトウ及びヒールの両端部に重錘を取付けることにより、トウ側及びヒール側に重量を偏在させてトウ側及びヒール側を重くした、いわゆるトウ・ヒールバランスを実現し、ヘッド重心を通る垂直軸（Ｙ軸）回りの慣性モーメントを大きくしてスイートスポットを水平方向に拡大し、ヘッド重心からトウ側又はヒール側にずれた位置でボールを打撃しても手に大きな反力が伝わらないようにするという考え方が記載されているが、このトウ・ヒールバランスの考え方は各ホールの第１打時や芝生上でのプレイ時のようにヘッド重心よりも上方で打撃した場合における打撃の違和感には対応できない。
【００２１】
本発明の他の特徴はヘッド底部の水平方向の少なくとも中央部分及びヘッド上部の水平方向の少なくとも中央部分に重量バランス部を設けるようにした点にある。これにより、ヘッドの重量をヘッドの底部側及び上部側に偏在させて底部側及び上部側を重くした重量バランスを実現することができ、ヘッド重心を通る水平軸（Ｘ軸）回りの慣性モーメントが大きくなるので、各ホールでの第１打時や芝生上でのプレイ時にヘッド重心から上方にずれた位置でボールを打撃しても大きな反力が手に伝わらず、プレイヤーにはボールを芯で打撃した打撃感が得られ、打撃の違和感を感じることは少ない。
【００２２】
重量バランス部は上述のようにスイートスポットを上下方向に拡大するために設けられるので、ヘッド底部の水平方向の少なくとも中央部分及びヘッド上部の水平方向の少なくとも中央部分に設けられていればよい。ここで、「ヘッド重心」とはクラブからシャフトを取り外したヘッドを水平な基準面に静置した状態における重心をいう。また、「中央部分」とはクラブからシャフトを取り外したヘッドを水平な基準面に静置し、このヘッドを基準面に投影した輪郭形状においてヘッド重心の位置からトウ及びヒールに向かう所望の範囲の部分をいう。
【００２３】
多くのグラウンド・ゴルフ用クラブではシャフトがヘッドに対して斜めに固定されており、上述のようにヘッド重心から上方にずれた位置でボールを打撃すると、ヘッド打球面のヘッド重心からトウ側又はヒール側にずれた位置でボールと衝突しやすくなるので、ヘッドがヘッド重心を通るＹ軸回りに旋回し、ボールの方向性が悪くなるおそれがある。そこで、重量バランス部はヘッド底部のトウ・ヒール間及びヘッド上部のトウ・ヒール間に延びて設け、スイートスポットを左右方向にも拡大するのが好ましい。これにより、ヘッド重心を通るＹ軸回りの慣性モーメントも大きくなり、ヘッドがＹ軸回りに旋回し難くなり、ボールを意図する方向に正確に転がすことができる。
【００２４】
重量バランス部はヘッドに合成樹脂材料を含浸させて構成してもよく、ヘッドに凹部を形成して金属片、合成樹脂片、炭素繊維強化材料あるいはガラス繊維強化材料の樹脂片を埋め込んで構成してもよく、さらには金属板、合成樹脂板、炭素繊維強化材料あるいはガラス繊維強化材料の樹脂板をビスや接着剤等で固定して構成してもよい。即ち、重量バランス部は帯状部分を有し、ヘッド底面及びヘッド上端面に固定するように構成することもできる。
【００２５】
重量バランス部の帯状部分はヘッド底面及び上端面のヘッド重心の位置を含んでトウ・ヒールの先端間の一部に延設させてもよいが、上述の水平方向のスイートスポットを広くすることを考慮すると、トウ・ヒールの先端間の全部に延設させるのが好ましい。そこで、重量バランス部の帯状部分はヘッド底面のトウ・ヒールの先端間及びヘッド上端面のトウ・ヒールの先端間に延びた形状とするのがよい。また、重量バランス部のうち、ヘッド底面の帯状部分はヘッド底面のトウ・ヒールの先端間に延びた形状とし、ヘッド上端面の帯状部分はヘッド上端面のトウの先端とシャフト連結部位近傍との間及びヒールの先端とシャフト連結部位近傍との間に延びた形状とすることもできる。
【００２６】
また、重量バランス部の、ヘッド底面及び上端面のヘッド重心の位置を含んでトウ・ヒールの先端間の全部又は一部に延びる帯状部分はヘッド厚み方向の全幅としてもよく、ヘッド厚み方向の一部の幅としてもよい。例えば、ヘッド上端面の帯状部分はプレイヤーが上方から見ることができるので、見栄えのよいデザインとすることもできる。例えば、重量バランス部のうち、ヘッド上端面及び／又はヘッド底面の帯状部分はヘッド厚み方向の寸法がトウ側の端部からシャフトの取付け部位及びヒール側の端部からシャフトの取付け部位に向けて漸減又は漸増するような形状とすることができる。
【００２７】
重量バランス部の材料はヘッドの素材よりも比重の大きな材料であれば特に限定されず、例えばアルミ系合金やマグネシウム系合金等の適切な金属材料、ポリプロピレン等の合成樹脂材料（比重の大きい粉粒を分散させた合成樹脂材料も含む）、炭素繊維強化材料、ガラス繊維強化材料で構成されることができる。
【００２８】
ここで、「重量バランス部が帯状部分を含む」とは帯状部分以外の構成要素が含まれることを意味する。例えば、重量バランス部をアルミニウム系合金のダイキャストで製造すると、帯状部分に歪ができやすいので、帯状部分の裏面に歪防止用の縦リブを形成するようにしてもよい。また、重量バランス部の帯状部分をビスだけでヘッドに固定すると、プレイ中の衝撃等によって帯状部分がヘッドから剥がれるおそれがある。そこで、帯状部分の裏面の適当な箇所に柱状の固定用突起部分を形成し、ヘッドの底面及び上端面に形成した凹穴に嵌入させて帯状部分の剥がれを防止するようにしてもよい。
【００２９】
また、ヘッドの打球面については特に限定されず、例えばヘッド素材で、好ましくは塗装を施したヘッド素材で構成してもよく、又特許文献１に記載されているように、金属材料製、合成樹脂材料製、炭素繊維強化材料製あるいはガラス繊維強化材料製の補強盤を取付けてヘッドの耐久性をアップさせるようにしてもよい。
【発明を実施するための最良の形態】
【００３０】
以下、本発明を図面に示す具体例に基づいて詳細に説明する。図１ないし図４は本発明に係るグラウンド・ゴルフ用クラブの好ましい実施形態を示す。図において、クラブ１０は木製シャフト２０とヘッド３０とから構成され、ヘッド３０は基本的には木材を用いて製作され、又シャフト２０の上方部分にはグリップ２１が設けられている。
【００３１】
ヘッド３０は図１に示されるように、打球面３１、背面３２、底面３３及び上端面３４から構成され、上端面３４には円形の取付け穴がヘッド３０の内部に向けて斜めに形成され、シャフト２０は取付け穴からヘッド２０内部に差し込まれてヘッド３０に対して傾いた状態で固定されている。
【００３２】
また、ヘッド３０の底面３３及び上端面３４には金属板（重量バランス部）４０が環状にかぶせられ、ビス４１によって底面３３及び上端面３４に固定され、金属板４０にはシャフト２０を挿通させる取付け穴４２がヘッド３０上端面３４の取付け穴に連通して形成されている。
【００３３】
この金属板４０はアルミニウム系合金やマグネシウム系合金等の金属材料を用い、ダイキャストや切削加工等によってヘッド３０のトウ３５の先端及びヒール３６の先端で上下２つに分割した形状に製作され、ヘッド３０の底面３３及び上端面３４にかぶせることによって環状に構成されている。
【００３４】
また、金属板４０のヘッド３０の上端面３４の部分４０Ａ及び底面３３の部分４０Ｂはヘッド３０のトウ３５の先端とヒール３６の先端との間に延び、ヘッド３０の厚み方向の全幅に延びた帯状となっている。また、金属板４０のヘッド３０の底面３３の部分４０Ｂには複数条の凹溝がヘッド３０の厚み方向に延びて形成され、グラウンド、雑草あるいは芝生との間の滑り性がアップされている。
【００３５】
なお、金属板４０の裏面には補強リブや固定用の突起部分を形成してもよい。また、金属板４０のヘッド上端面側の部分４０Ａとヘッド底面側の部分４０Ｂをどのような重さの配分にするかは上下方向のスイートスポットの大きさ、ヘッド重心の高さあるいはヘッドの重さ等を考慮して決定するのがよい。例えば、本例ではヘッド上端面側の部分４０Ａとヘッド底面側の部分４０Ｂをほぼ等しい重量配分としている。
【００３６】
各ホールで第１打を開始する場合、図３に示されるように、スタートマット５０のボールスタンド５１上にボール６０を載せ、シャフト２０のグリップ２１を両手で握り、グラウンド上での通常のプレイの場合と同様にクラブ１０をスイングし、ヘッド３０でボール６０を打撃して転がせる。
【００３７】
このとき、ボール６０はボールスタンド５１の上に載せられ、ボール重心はグラウンドから５５ｍｍの高さにあり、ヘッド重心ＣＧよりも高くなるが、本例のクラブ１０ではヘッド３０の周囲に金属板４０を設けて重量をヘッド３０の周囲に偏在させているので、スイートスポットは水平方向だけでなく、図４の(b)に斜線で示されるように上下方向にも広くなっている。
【００３８】
その結果、ヘッド３０の有する運動量Ｆの大部分がボール６０に伝わる一方、ボール６０からの反力Ｒは小さく、プレイヤーはボール６０を芯で打撃したような打撃感を感じ、打撃の違和感を感じることがない。
【００３９】
また、芝生コースでプレイする場合にも上記と同様にプレイヤーはボール６０を芯で打撃したような打撃感を感じ、違和感を感じることがない。
【００４０】
さらに、ヘッド重心ＣＧは特許文献２や特許文献３に記載のクラブほど低くなることはないので、スイング時における手からヘッド重心ＣＧまでの有効距離は特許文献２や特許文献３に記載のクラブに比して短く、ヘッド３０の底部の方がヘッド１０の上部に比して早く走ることはない。その結果、通常のグラウンドでのプレイ時にヘッド３０の打球面３１のボール６０に対する傾きも小さくなるので、打球が上向きに飛ぶということはなく、プレイ中の安全性を保証できる。
【００４１】
また、ヘッド３０の底部の角でボール６０を叩くこともなくなるので、ボール６０の転がる方向も安定し、又ボール６０に傷をつけることもない。
【００４２】
図５は第２の実施形態を示す。図５の(a)に示される例ではヘッド３０の底面３３の中央部分及び上端面３４の中央部分に凹部を形成して金属板（重量バランス部）７０、７１を嵌め込み、ビスによって固定しており、このようにヘッド３０の底面３３及び上端面３４の中央部分にのみ金属板７０、７１を設けるようにしてもスイートスポットを上下方向に広げることができる。なお、金属板に代え、ヘッド３０の素材に比して比重の大きい合成樹脂板（比重の大きい粉粒を分散させたものでもよい）、炭素繊維強化材料又はガラス繊維強化材料の樹脂板を用いることもできる。
【００４３】
図５の(b)に示される例ではヘッド３０の打球面３１（背面３２でもよい）の上部及び底部の中央部分に複数の凹部を形成して金属片７２を埋め込み、スイートスポットを上下方向に広げるようにしている。このように、金属板ではなく金属片を用いて重量バランス部を構成するようにしてもよい。金属片に代え、ヘッド３０の素材に比して比重の大きい合成樹脂片（比重の大きい粉粒を分散させたものでもよい）を用いることもできる。また、凹部をヘッド３０の打球面３１（背面３２でもよい）の上部及び底部の全周にわたって形成して金属片又は合成樹脂片（炭素繊維強化材料又はガラス繊維強化材料の樹脂片を含む）を埋め込むようにしてもよい。
【００４４】
図５の(c)に示される例ではヘッド３０の上部及び底部の中央部分に合成樹脂材料を含浸させてヘッド素材よりも重い重量バランス部７３を構成している。このように、樹脂の含浸によって重量バランス部を構成してもよい。また、ヘッド３０の上部及び底部の全周にわたって樹脂を含浸させて重量バランス部を構成するようにしてもよい。
【００４５】
図６は第３の実施形態を示し、図において図１ないし図４と同一符号は同一又は相当部分を示す。本例ではヘッド３０の上端面３４を覆う金属板４０Ａは、ヘッド３０上端面３４の帯状部分４０Ａはヘッド３０の厚み方向の寸法がトウ３５側の端部からシャフト２０の取付け穴（取付け部位）４２及びヒール３５側の端部からシャフト２０の取付け穴（取付け部位）４２に向けて漸減するような形状となっている。このように、金属板４０はヘッド３０の厚み方向の一部を覆う幅とすることもできる。なお、金属板４０に代え、合成樹脂板（炭素繊維強化材料又はガラス繊維強化材料の樹脂板を含む）を採用することもできる。
【００４６】
図７は第４の実施形態を示し、図において図１ないし図４と同一符号は同一又は相当部分を示す。本例ではヘッド３０の底面３３を覆う金属板４０Ｂに金属板製の補強盤部４３を直角にかつ一体的に形成する一方、ヘッド３０の打球面３１に凹部を形成し、この凹部に補強盤部４３を嵌め込み、ビス４１によって打球面３１に固定するようにしている。なお、補強盤部は金属製ではなく、合成樹脂製（炭素繊維強化材料又はガラス繊維強化材料の樹脂製を含む）とすることもでき、又金属板４０Ｂと一体ではなく、別体に製作して打球面３１に固定するようにしてもよい。
【００４７】
図８及び図９は第５、第６の実施形態を示し、図において図１ないし図４と同一符号は同一又は相当部分を示す。図８及び図９に示す例ではヘッド３０の上端面３４を覆う金属板４０Ａをトウの先端３５からシャフト取付け穴（シャフト連結部位）４２の近傍の間、及びヒールの先端３６からシャフト取付け穴４２の近傍の間に延びて設け、ビス４１によって固定している。
【００４８】
また、図８に示す例では金属板４０Ａはトウの先端３５からシャフト取付け穴４２に向けてヘッド３０の厚み方向の幅が漸減され、図９に示される例では金属板４０Ａはトウの先端３５からシャフト取付け穴４２に向けてヘッド３０の厚さ方向の幅がヘッド３０の厚さよりも短い一定の幅に形成されている。
【００４９】
なお、上記の各例では金属板（重量バランス部）４０を上下に２分割した形態に製作し、ヘッド３０の底面３３及び上端面３４に取付けるようにしたが、重量バランス部を上記各例の形態に一体的に形成し、側方からヘッド３０に外嵌させるようにしてもよい。
【図面の簡単な説明】
【００５０】
【図１】本発明に係るグラウンド・ゴルフ用クラブの好ましい実施形態を示す要部斜視図である。
【図２】上記実施形態における底面を示す図である。
【図３】グランウド・ゴルフにおいて各ホールの第１打目の開始の状態を示す図である。
【図４】上記実施形態の作用を説明するための図である。
【図５】第２の実施形態を示す図である。
【図６】第３の実施形態を示す図である。
【図７】第４の実施形態を示す図である。
【図８】第５の実施形態を示す図である。
【図９】第６の実施形態を示す図である。
【図１０】発明が解決しようとする課題を説明するための図である。
【符号の説明】
【００５１】
１０      クラブ
２０      シャフト
３０      ヘッド
３１      打球面
３２      背面
３３      底面
３４      上端面
４０      金属板（重量バランス部）
４３      補強盤部
７０、７２      金属板（重量バランス部）
７２      金属片（重量バランス部）
７３      重量バランス部
【図１】
2006149752.tif 000003
【図２】
2006149752.tif 000004
【図３】
2006149752.tif 000005
【図４】
2006149752.tif 000006
【図５】
2006149752.tif 000007
【図６】
2006149752.tif 000008
【図７】
2006149752.tif 000009
【図８】
2006149752.tif 000010
【図９】
2006149752.tif 000011
【図１０】
2006149752.tif 000012